(57)【要約】【課題】  優先度の低い処理に妨げられることなく優先度の高い処理が行われる。【解決手段】  ユーザがパネルキー４を用いて装置２−１を制御する際に、リモコン信号受信部３にて受信されたリモコン信号をリモコン信号処理部８において処理することを、リモコン許可条件判別部１０に判別された条件に基づいて、リモコン信号受信制御部１３によって、無効にする。【選択図】図１
2006165780.tif 000002
【特許請求の範囲】
【請求項１】
優先度の高い制御信号を受信する高優先信号受信手段と、前記高優先信号受信手段にて受信された制御信号を処理する高優先信号処理手段と、優先度の低い制御信号を受信する低優先信号受信手段と、前記低優先信号受信手段にて受信された制御信号を処理する低優先信号処理手段とを有する装置制御方式において、
前記低優先信号受信手段にて受信された制御信号の前記低優先信号処理手段における処理の有効化または無効化の条件を判別する低優先信号許可条件判別手段と、
前記低優先信号許可条件判別手段における判別結果に基づいて、前記低優先信号受信手段にて受信された制御信号の処理を有効にするか無効にするかを前記低優先信号処理手段に対して指示する低優先信号処理制御手段とを有することを特徴とする装置制御方式。
【請求項２】
請求項１に記載の装置制御方式において、
前記低優先信号許可条件判別手段は、
時間を計測するタイマと、
前記タイマがタイムアウトするタイムアウト値が保持されているタイムアウト値記憶手段とを有し、
前記低優先信号処理制御手段は、前記高優先信号受信手段にて制御信号が受信されてから前記タイマにて計測された時間が前記タイムアウト値記憶手段にて保持されているタイムアウト値よりも大きな値となるまで、前記低優先信号受信手段にて受信された制御信号の処理を無効にする旨を前記低優先信号処理手段に対して指示することを特徴とする装置制御方式。
【請求項３】
請求項１に記載の装置制御方式において、
装置の制御メニューを表示する表示画面と、
前記制御メニューの前記表示画面への表示を制御する画面表示制御手段とを有し、
前記低優先信号許可条件判別手段は、前記高優先信号処理手段によって前記表示画面に表示された制御メニューが記憶されている画面表示記憶手段を有し、
前記低優先信号処理制御手段は、前記画面表示記憶手段に前記表示画面に表示された制御メニューが記憶されている場合、前記低優先信号受信手段にて受信された制御信号の処理を無効にする旨を前記低優先信号処理手段に対して指示することを特徴とする装置制御方式。
【請求項４】
優先度の高い制御信号と優先度の低い制御信号とを受信し、該制御信号によって装置を制御する装置制御方法であって、
前記優先度の高い制御信号の受信に基づいて、前記優先度の低い制御信号による制御を有効にするか無効にするかを判別する処理と、
該判別結果に基づいて、前記優先度の低い制御信号による制御を有効あるいは無効にする処理とを有する装置制御方法。
【請求項５】
請求項４に記載の装置制御方法において、
前記優先度の高い制御信号が受信されてから所定の時間、前記優先度の低い制御信号による制御を無効にすることを特徴とする装置制御方法。
【請求項６】
請求項４に記載の装置制御方法において、
前記優先度の高い制御信号によって表示される制御メニューが記憶されている場合、前記優先度の低い制御信号による制御を無効にすることを特徴とする装置制御方法。
【発明の詳細な説明】
【技術分野】
【０００１】
本発明は、複数の制御手段によって、装置の制御を行う装置制御方式及び装置制御方法に関する。
【背景技術】
【０００２】
従来より、ユーザが制御しようとする装置に対して、ユーザが装置に設けられたパネルキー等の機構を操作することによる制御を行う以外に、遠隔操作のできるリモコンを操作することによる制御も行うといった複数の制御手段による制御が行われている。
【０００３】
近年では、複数のリモコンによって装置の制御が行われる場合、複数のリモコンを操作することによる制御の競合を避けるために、リモコンの受信機能を明示的に禁止する方法や、それぞれのリモコンに識別子を持たせて、装置側において対象のリモコンを識別する方法や、装置の電源を切る際に使用されたリモコンのみが、次回の装置の電源投入時に使用可能となる制御方法が考えられている（例えば、特許文献１参照。）。
【特許文献１】特開平０７−２８８８７６号公報
【発明の開示】
【発明が解決しようとする課題】
【０００４】
しかしながら、近辺に同一の装置が複数存在する環境において、例えば、パネルキーを操作することによる制御手段が、リモコンを操作することによる制御手段よりも優先度が高い制御手段として設定されている場合、ユーザがその中の一つの装置をパネルキーを操作することにより制御している際に、他のユーザが他の装置についてリモコンを操作して制御しようとすると、他のユーザが操作しているリモコンから送信されたリモコン信号が、近辺すべての同一の装置に影響を及ぼしてしまい、パネルキーを操作しているユーザの作業を妨げてしまうという問題点がある。
【０００５】
また、特許文献１に記載された方法については、例えば、２つの装置の電源が同一のリモコンにより切断され、その後、そのリモコンにより電源を切断された装置のうちの１つがパネルキーの操作により制御されている状態において、もう一方の装置が、リモコンにより操作されると、パネルキーの操作により制御されている装置が、一方を操作しているリモコンの影響を受けてしまい、パネルキーを操作しているユーザの作業を妨げてしまうという問題点がある。
【０００６】
本発明は、上述したような従来の技術が有する問題点を鑑みてなされたものであって、優先度の低い制御信号の影響を受けずに優先度の高い制御信号により装置を容易に制御することができる装置制御方式及び装置制御方法を提供することを目的とする。
【課題を解決するための手段】
【０００７】
上記目的を達成するために本発明は、
優先度の高い制御信号を受信する高優先信号受信手段と、前記高優先信号受信手段にて受信された制御信号を処理する高優先信号処理手段と、優先度の低い制御信号を受信する低優先信号受信手段と、前記低優先信号受信手段にて受信された制御信号を処理する低優先信号処理手段とを有する装置制御方式において、
前記低優先信号受信手段にて受信された制御信号の前記低優先信号処理手段における処理の有効化または無効化の条件を判別する低優先信号許可条件判別手段と、
前記低優先信号許可条件判別手段における判別結果に基づいて、前記低優先信号受信手段にて受信された制御信号の処理を有効にするか無効にするかを前記低優先信号処理手段に対して指示する低優先信号処理制御手段とを有することを特徴とする。
【０００８】
また、前記低優先信号許可条件判別手段は、
時間を計測するタイマと、
前記タイマがタイムアウトするタイムアウト値が保持されているタイムアウト値記憶手段とを有し、
前記低優先信号処理制御手段は、前記高優先信号受信手段にて制御信号が受信されてから前記タイマにて計測された時間が前記タイムアウト値記憶手段にて保持されているタイムアウト値よりも大きな値となるまで、前記低優先信号受信手段にて受信された制御信号の処理を無効にする旨を前記低優先信号処理手段に対して指示することを特徴とする。
【０００９】
また、装置の制御メニューを表示する表示画面と、
前記制御メニューの前記表示画面への表示を制御する画面表示制御手段とを有し、
前記低優先信号許可条件判別手段は、前記高優先信号処理手段によって前記表示画面に表示された制御メニューが記憶されている画面表示記憶手段を有し、
前記低優先信号処理制御手段は、前記画面表示記憶手段に前記表示画面に表示された制御メニューが記憶されている場合、前記低優先信号受信手段にて受信された制御信号の処理を無効にする旨を前記低優先信号処理手段に対して指示することを特徴とする。
【００１０】
また、優先度の高い制御信号と優先度の低い制御信号とを受信し、該制御信号によって装置を制御する装置制御方法であって、
前記優先度の高い制御信号の受信に基づいて、前記優先度の低い制御信号による制御を有効にするか無効にするかを判別する処理と、
該判別結果に基づいて、前記優先度の低い制御信号による制御を有効あるいは無効にする処理とを有する。
【００１１】
また、前記優先度の高い制御信号が受信されてから所定の時間、前記優先度の低い制御信号による制御を無効にすることを特徴とする。
【００１２】
また、前記優先度の高い制御信号によって表示される制御メニューが記憶されている場合、前記優先度の低い制御信号による制御を無効にすることを特徴とする。
【００１３】
上記のように構成された本発明においては、優先度の高い制御信号による処理が行われている際に、優先度の低い制御信号が受信された場合、低優先信号許可条件判別手段の条件に当てはまるかどうかが判断され、条件に当てはまると判断された場合は、優先度の低い制御信号による処理が無効とされる。このため、優先度の高い制御信号による処理と、優先度の低い制御信号による処理との競合が生じることによる誤動作を回避することができる。また、処理の有効／無効が自動的に設定されるため、ユーザによる複雑な設定や、明示的な受信動作の禁止を行う必要が無い。
【発明の効果】
【００１４】
以上説明したように本発明においては、優先度の低い制御信号による制御の有効化または無効化の条件を判別し、その判別結果に基づいて、優先度の低い制御信号による制御を有効化あるいは無効化にする構成としたため、優先度の高い制御信号による制御を行っている際に、優先度の低い制御信号が受信されても、優先度の低い制御信号の影響を受けずに優先度の高い制御信号により装置を容易に制御することができる。
【発明を実施するための最良の形態】
【００１５】
以下に、本発明の実施の形態について図面を参照して説明する。
【００１６】
（第１の実施の形態）
図１は、本発明の装置制御方式が適用された装置の第１の実施の形態を示す図である。
【００１７】
本形態は図１に示すように、ユーザによって直接操作されることにより優先度が高い制御信号を受信する高優先信号受信手段であるパネルキー４と、パネルキー４から入力された信号を処理する高優先信号処理手段であるパネルキー信号処理部７と、ユーザがリモコンを操作して装置を制御する際に、リモコンから送信された信号を優先度が低い制御信号として受信する低優先信号受信手段であるリモコン信号受信部３と、リモコン信号受信部３において受信された信号を処理する低優先信号処理手段であるリモコン信号処理部８と、パネルキー信号処理部７またはリモコン信号処理部８において処理された結果に基づいて装置の制御を行う制御実行部９と、リモコン信号の有効化または無効化の条件を判別する低優先信号許可条件判別手段であるリモコン許可条件判別部１０と、リモコン許可条件判別部１０が判別した結果に基づいてリモコン信号の有効化または無効化を判断し、リモコン信号受信部３にて受信したリモコン信号をリモコン信号処理部８において処理するかどうかを指示する低優先信号処理制御手段であるリモコン受信信号制御部１３とから構成されている。
【００１８】
また、リモコン許可条件判別部１０は、時間を計測するためのタイマ１１と、タイマ１１がタイムアウトするタイムアウト値が保持されているタイムアウト値記憶部１２とから構成されている。
【００１９】
以下に、上記のように構成された装置の制御方法について説明する。
【００２０】
図２は、図１に示した装置の制御方法を説明するための図であり、また、図３は、図１に示した装置の制御方法を説明するためのフローチャートである。
【００２１】
図２に示すように、ユーザ１−１が図１に示した構成を有する装置２−１をパネルキー４によって制御しようとしており、同時にユーザ１−２が図１に示した構成を有する装置２−２をリモコン５を使用して遠隔操作により制御しようとしている。
【００２２】
まず、リモコン許可条件判別部１０内のタイマ１１が初期化される（ステップＳ１）。ここで、タイマ１１の初期化は、装置２−１が起動されたときに自動的に初期化されるものでも良いし、リモコン信号受信制御部１３からの指示によって、初期化されるものでも良い。
【００２３】
次に、パネルキー信号処理部７において、ユーザ１−１によってパネルキー４が操作されたかどうかが判断され（ステップＳ２）、判断された結果が、パネルキー信号処理部７からリモコン信号受信制御部１３へ出力される。
【００２４】
ユーザ１−１によってパネルキー４が操作されたと判断された場合、リモコン信号受信制御部１３からリモコン信号処理部８へリモコン信号の処理の無効化が指示される（ステップＳ３）。
【００２５】
そして、タイマ１１が初期化及び起動される（ステップＳ４）。ここでのタイマ１１の初期化及び起動については、リモコン信号受信制御部１３からの制御によるものである。
【００２６】
タイマ１１が起動された後、パネルキー信号処理部７において処理された信号に基づいた制御が、制御実行部９において実行される（ステップＳ５）。
【００２７】
一方、ステップＳ２において、ユーザ１−１によってパネルキー４が操作されていないと判断された場合、リモコン信号受信制御部１３によって、タイマ１１が動作中かどうかが判断される（ステップＳ６）。
【００２８】
タイマ１１が動作中であると判断された場合、リモコン信号受信制御部１３によって、現在のタイマ１１の値が、タイムアウト値記憶部１２に格納されているタイムアウト値よりも大きな値かどうかが判断される（ステップＳ７）。なお、タイムアウト値記憶部１２に格納されているタイムアウト値は、予め設定されているものである。
【００２９】
現在のタイマ１１の値が、タイムアウト値記憶部１２に格納されているタイムアウト値よりも大きな値ではないと判断された場合、ステップＳ２の処理に戻る。
【００３０】
また、現在のタイマ１１の値が、タイムアウト値記憶部１２に格納されているタイムアウト値よりも大きな値であると判断された場合、リモコン信号受信制御部１３によって、タイマ１１の動作が停止され（ステップＳ８）、リモコン信号受信制御部１３からリモコン信号処理部８へリモコン信号の処理の有効化が指示される（ステップＳ９）。
【００３１】
一方、ステップＳ６において、タイマ１１が停止していると判断された場合は、ステップＳ７，Ｓ８の処理は行われず、ステップＳ９の処理を行う。
【００３２】
その後、有効化を指示されたリモコン信号処理部８において、リモコン信号受信部３にてリモコン信号が受信されているどうかか判断され（ステップＳ１０）、リモコン信号受信部３にてリモコン信号が受信されていると判断された場合、受信されたリモコン信号がリモコン信号処理部８において処理され、処理された信号に基づいた制御が、制御実行部９において実行される（ステップＳ５）。
【００３３】
また、ステップＳ１０において、リモコン信号受信部３にてリモコン信号が受信されていないと判断された場合、ステップＳ２の処理に戻る。
【００３４】
（第２の実施の形態）
第１の実施の形態に示したもののように、タイマ１１を設けることにより、ユーザ１−１がパネルキー４を最初に操作したときからある一定の時間は、リモコン５からの操作が無効になるような制御を行うのではなく、装置２−１に表示画面が具備されている装置を制御する際に、パネルキー４及びリモコン５にそれぞれメニューキーを設け、パネルキー４のメニューキーの操作により、装置２−１の表示画面にメニュー画面が表示されているときは、リモコン５からの操作が無効になるように制御することも考えられる。
【００３５】
図４は、本発明の装置制御方式が適用された装置の第２の実施の形態を示す図である。
【００３６】
本形態は図４に示すように、ユーザ１−１によって直接操作されることにより優先度が高い制御信号を受信するパネルキー４と、パネルキー４から入力された信号を処理するパネルキー信号処理部７と、ユーザがリモコンを操作して装置を制御する際に、リモコンから送信された信号を優先度が低い制御信号として受信するリモコン信号受信部３と、リモコン信号受信部３において受信された信号を処理するリモコン信号処理部８と、パネルキー信号処理部７またはリモコン信号処理部８において処理された結果に基づいて装置の制御を行う制御実行部９と、リモコン信号の有効化または無効化の条件を判別するリモコン許可条件判別部１０と、リモコン許可条件判別部１０が判別した結果に基づいてリモコン信号の有効化または無効化を判断し、リモコン信号受信部３にて受信したリモコン信号をリモコン信号処理部８において処理するかどうかを指示するリモコン受信信号制御部１３と、パネルキー４またはリモコンを介して指示を受け、メニューの画面表示及び消去を制御する画面表示制御手段であるオンスクリーン表示制御部１５と、オンスクリーン表示制御部１５によって表示されるオンスクリーンメニュー１４と、オンスクリーンメニュー１４が表示される表示画面１９とから構成されている。
【００３７】
また、パネルキー４には、表示画面１９にオンスクリーンメニュー１４を表示させるためのメニューキー１７が設けられている。
【００３８】
また、リモコン許可条件判別部１０には、メニューキー１７によって表示画面１９上に表示されているオンスクリーンメニュー１４の内容が記憶されている画面表示記憶手段であるオンスクリーン表示記憶部１６が設けられている。
【００３９】
以下に、上記のように構成された装置の制御方法について説明する。
【００４０】
図５は、図４に示した装置の制御方法を説明するための図であり、また、図６は、図４に示した装置の制御方法を説明するためのフローチャートである。
【００４１】
図５に示すように、ユーザ１−１が図４に示した構成を有する装置２−１をパネルキー４によって制御しようとしており、同時にユーザ１−２が図４に示した構成を有する装置２−２をリモコン５を操作して制御しようとしている。
【００４２】
まず、オンスクリーン表示制御部１５によって、表示画面１９に表示されているオンスクリーンメニュー１４が消去され（ステップＳ２１）、オンスクリーンメニュー記憶部１６に記憶されている内容が「オンスクリーンメニュー表示無し」に初期化される（ステップＳ２２）。
【００４３】
次に、パネルキー信号処理部７において、ユーザ１−１によってパネルキー４が操作されたかどうかが判断され（ステップＳ２３）、判断された結果が、パネルキー信号処理部７からオンスクリーン表示制御部１５へ出力され、オンスクリーン表示制御部１５からリモコン信号受信制御部１３へ出力される。
【００４４】
ユーザ１−１によってパネルキー４が操作されたと判断された場合、パネルキー信号処理部７において、操作されたキーがメニューキー１７であるか否かが判断される（ステップＳ２４）。
【００４５】
操作されたキーがメニューキー１７であると判断された場合、メニュー表示制御が行われ（ステップＳ２５）、その後、パネルキー信号処理部７において処理された信号に基づいた制御が、制御実行部９において実行される（ステップＳ２６）。
【００４６】
また、操作されたキーがメニューキー１７ではないと判断された場合、ステップＳ２５のメニュー表示制御は行われず、ステップＳ２６の制御が実行される。
【００４７】
一方、ステップＳ２３において、ユーザ１−１によってパネルキー４が操作されていないと判断された場合、リモコン信号受信制御部１３によって、リモコン許可条件判別部１０内のオンスクリーン表示記憶部１６に、メニューキー１７によって表示画面１９に表示されたオンスクリーンメニュー１４の内容が存在するかどうかが判断され（ステップＳ２７）、存在すると判断された場合、ステップＳ２３の処理に戻る。
【００４８】
また、存在しないと判断された場合、リモコン信号受信制御部１３からリモコン信号処理部８へリモコン信号の処理の有効化が指示される（ステップＳ２８）。
【００４９】
その後、有効化を指示されたリモコン信号処理部８において、リモコン信号受信部３にてリモコン信号が受信されているどうかか判断され（ステップＳ２９）、リモコン信号受信部３にてリモコン信号が受信されていると判断された場合、受信されたリモコン信号がメニューキー１８の操作によるものであるか否かが判断される（ステップＳ２４）。
【００５０】
ここで、受信されたリモコン信号がメニューキー１８の操作によるものであると判断された場合、メニュー表示制御が行われ（ステップＳ２５）、その後、リモコン信号処理部８において処理された信号に基づいた制御が、制御実行部９において実行される（ステップＳ２６）。
【００５１】
また、受信されたリモコン信号がメニューキー１８の操作によるものではないと判断された場合、ステップＳ２５のメニュー表示制御は行われず、ステップＳ２６の制御が実行される。
【００５２】
一方、ステップＳ２９において、リモコン信号受信部３にてリモコン信号が受信されていないと判断された場合、ステップＳ２３の処理に戻る。
【００５３】
以下に、上述したステップＳ２５のメニュー表示制御の処理の詳細について説明する。
【００５４】
図７は、図４及び図５に示した装置制御方式におけるメニュー表示制御を説明するためのフローチャートである。
【００５５】
オンスクリーン表示制御部１５によって、現在、表示画面１９にオンスクリーンメニュー１４が表示されているかどうかが判断され（ステップＳ４１）、表示されていると判断された場合、オンスクリーン表示制御部１５によって、表示画面１９からオンスクリーンメニュー１４が消去される（ステップＳ４２）。
【００５６】
その後、オンスクリーン表示制御部１５によって、オンスクリーン表示記憶部１６の内容が「オンスクリーンメニュー表示無し」に設定される（ステップＳ４３）。
【００５７】
一方、表示画面１９にオンスクリーンメニュー１４が表示されていないと判断された場合、オンスクリーン表示制御部１５によって、表示画面１９にオンスクリーンメニュー１４が表示される（ステップＳ４４）。
【００５８】
次に、図６に示したステップＳ２３において判断され、リモコン信号受信制御部１３へ出力された結果に基づいて、ユーザ１−１によってパネルキー４が操作されたかどうかが、リモコン信号受信制御部１３において認識される（ステップＳ４５）。
【００５９】
ユーザ１−１によってパネルキー４が操作されたと認識された場合、リモコン信号受信制御部１３からリモコン信号処理部８へリモコン信号の処理の無効化が指示される（ステップＳ４６）。
【００６０】
その後、オンスクリーン表示制御部１５によって、メニューキー１７によって表示画面１９に表示されたオンスクリーンメニュー１４の内容が記憶される（ステップＳ４７）。
【００６１】
また、ステップＳ４５において、ユーザ１−１によってパネルキー４が操作されていないと認識された場合は、何もしない。
【００６２】
なお、上述した第１及び第２の実施の形態においては、パネルキー４による操作を優先度の高い制御手段とし、リモコン５による操作を優先度の低い制御手段とし、これらの２つの操作手段を持つ場合について、パネルキー４の操作状態つまりパネルキー４からの信号の受信状態と、リモコン許可条件判別手段１０との条件によって、リモコン５から送信された信号の有効／無効を判別する説明したが、本発明はこれらの操作手段の組み合わせに限定するものではなく、リモコン５とネットワーク接続や、ネットワーク接続とシリアル接続といった組み合わせにも応用することが考えられる。
【図面の簡単な説明】
【００６３】
【図１】本発明の装置制御方式が適用された装置の第１の実施の形態を示す図である。
【図２】図１に示した装置の制御方法を説明するための図である。
【図３】図１に示した装置の制御方法を説明するためのフローチャートである。
【図４】本発明の装置制御方式が適用された装置の第２の実施の形態を示す図である。
【図５】図４に示した装置の制御方法を説明するための図である。
【図６】図４に示した装置の制御方法を説明するためのフローチャートである。
【図７】図４及び図５に示した装置制御方式におけるメニュー表示制御を説明するためのフローチャートである。
【符号の説明】
【００６４】
１−１，１−２    ユーザ
２−１，２−２    装置
３    リモコン信号受信部
４    パネルキー
５    リモコン
７    パネルキー信号処理部
８    リモコン信号処理部
９    制御実行部
１０    リモコン許可条件判別部
１１    タイマ
１２    タイムアウト値記憶部
１３    リモコン信号受信制御部
１４    オンスクリーンメニュー
１５    オンスクリーン表示制御部
１６    オンスクリーン表示記憶部
１７，１８    メニューキー
１９    表示画面
【図１】
2006165780.tif 000003
【図２】
2006165780.tif 000004
【図３】
2006165780.tif 000005
【図４】
2006165780.tif 000006
【図５】
2006165780.tif 000007
【図６】
2006165780.tif 000008
【図７】
2006165780.tif 000009